(57)【要約】【課題】貯蔵室から手前側に引き出しあるいは引き寄せられた食品をも照明することのできる冷蔵庫を得る。また、貯蔵室内をより明るくすることのできる冷蔵庫を得る。【解決手段】冷蔵室５と、透光性を有する材料で構成され、冷蔵室５内を上下に仕切る一以上の透明棚２０と、冷蔵室５の天井１６の奥行き方向において略中央よりも手前側に設けられ、真下よりも当該冷蔵室５の手前方向に指向する光を照射する第一照明装置３０と、一以上の透明棚２０のいずれか一つよりも下側に設けられ、冷蔵室５の手前方向に指向する光を照射する第二照明装置４０とを備えた。【選択図】図２
2013217513.tif 000002
【特許請求の範囲】
【請求項１】
貯蔵室と、
透光性を有する材料で構成され、前記貯蔵室内を上下に仕切る一以上の棚と、
前記貯蔵室の天井の奥行き方向において略中央よりも手前側に設けられ、真下よりも当該貯蔵室の手前方向に指向する光を照射する第一照明装置と、
前記一以上の棚のいずれか一つよりも下側に設けられ、前記貯蔵室の手前方向に指向する光を照射する第二照明装置とを備えた
ことを特徴とする冷蔵庫。
【請求項２】
前記第一照明装置は、真下よりも１°から５°手前方向に指向する光を照射する
ことを特徴とする請求項１記載の冷蔵庫。
【請求項３】
前記第二照明装置は、前記貯蔵室の高さ方向において略中央よりも下側に設けられている
ことを特徴とする請求項１または請求項２に記載の冷蔵庫。
【請求項４】
前記第二照明装置は、水平よりも上方向に指向する光を照射する
ことを特徴とする請求項１〜請求項３のいずれか一項に記載の冷蔵庫。
【請求項５】
前記第一照明装置は、前記貯蔵室の幅方向の５０％から９０％の範囲に亘って設けられている
ことを特徴とする請求項１〜請求項４のいずれか一項に記載の冷蔵庫。
【請求項６】
前記第二照明装置は、前記貯蔵室の幅方向の５０％から９０％の範囲に亘って設けられている
ことを特徴とする請求項１〜請求項５のいずれか一項に記載の冷蔵庫。
【請求項７】
前記第一照明装置は、複数の光源が実装された第一実装基板を複数備えており、
前記複数の第一実装基板は、当該第一実装基板の長辺方向に対して直列に配置されている
ことを特徴とする請求項１〜請求項６のいずれか一項に記載の冷蔵庫。
【請求項８】
前記第二照明装置は、複数の光源が実装された第二実装基板を複数備えており、
前記複数の第二実装基板は、当該第二実装基板の長辺方向に対して直列に配置されている
ことを特徴とする請求項１〜請求項７のいずれか一項に記載の冷蔵庫。
【請求項９】
前記第二照明装置は、前記貯蔵室の背面側の壁面に設けられている
ことを特徴とする請求項１〜請求項８のいずれか一項に記載の冷蔵庫。
【請求項１０】
前記貯蔵室の上下方向に複数の前記棚を備え、
前記第二照明装置は、透光性を有し、光源の光出射側を覆うカバーを備え、
前記カバーの上面は、前記複数の棚のうち最上段の棚を除くいずれかの棚の上面と略同一平面上に配置されている
ことを特徴とする請求項１〜請求項８のいずれか一項に記載の冷蔵庫。
【請求項１１】
前記カバーの上面は、前記複数の棚のうち最下段の棚の上面と略同一平面上に配置されている
ことを特徴とする請求項１０記載の冷蔵庫。
【請求項１２】
前記棚の手前側に、当該棚の幅方向に亘って設けられ、前記第一照明装置から照射される光の少なくとも一部を前記貯蔵室の手前側に反射させる反射板を備えた
ことを特徴とする請求項１〜請求項１１のいずれか一項に記載の冷蔵庫。
【発明の詳細な説明】
【技術分野】
【０００１】
本発明は、貯蔵室に照明装置を有する冷蔵庫に関する。
【背景技術】
【０００２】
従来、冷蔵庫の貯蔵室用の照明装置として、貯蔵室の天井に設けられ、真下よりも少し奥側に傾いた方向に向けて光を照射するようにして設置されたものが提案されている（例えば、特許文献１参照）。
【先行技術文献】
【特許文献】
【０００３】
【特許文献１】特開２００７−３０３７号公報（第３頁、図２）
【発明の概要】
【発明が解決しようとする課題】
【０００４】
従来の冷蔵庫の照明装置の照射方向は、ほぼ真下、もしくは少し奥側に傾いている。したがって、例えば貯蔵室から取り出す食品を選ぶ際に、貯蔵室の棚から手前に引き出した食品にはあまり光が当たらず、食品の表示などが見えにくかった。このため、使用者は表示を確認するために食品を貯蔵室から取り出して室内照明に当てなければならず、食品を選びながら取り出す際の使い勝手の向上が望まれていた。
【０００５】
また、従来の冷蔵庫の貯蔵室は透明棚によって上下に区画されているが、この透明棚に多くの食品が載置されると、その食品によって貯蔵室の天井に設けられた照明装置からの光が遮られて貯蔵室内が暗くなり、食品が見えにくくなっていた。
【０００６】
本発明は、上述のような課題を解決するためになされたもので、貯蔵室から手前側に引き出しあるいは引き寄せられた食品をも照明することのできる冷蔵庫を提供するものである。また、貯蔵室内をより明るくすることのできる冷蔵庫を提供するものである。
【課題を解決するための手段】
【０００７】
本発明に係る冷蔵庫は、貯蔵室と、透光性を有する材料で構成され、前記貯蔵室内を上下に仕切る一以上の棚と、前記貯蔵室の天井の奥行き方向において略中央よりも手前側に設けられ、真下よりも当該貯蔵室の手前方向に指向する光を照射する第一照明装置と、前記一以上の棚のいずれか一つよりも下側に設けられ、前記貯蔵室の手前方向に指向する光を照射する第二照明装置とを備えたものである。
【発明の効果】
【０００８】
本発明は、貯蔵室の天井の奥行き方向において略中央よりも手前側に設けられ、真下よりも当該貯蔵室の手前方向に指向する光を照射する第一照明装置を備えたので、使用者が貯蔵室内の食品を手前側に引き出すと、第一照明装置からの光の少なくとも一部が食品を照らす。このため、食品を貯蔵室から取り出す際の視認性を向上させることができる。
【０００９】
また、本発明は、一以上の棚のいずれか一つよりも下側に設けられ、貯蔵室の手前方向に指向する光を照射する第二照明装置を備えたので、貯蔵室内は、第一照明装置による上方からの光と、第二照明装置による下方からの光とによって照らされる。貯蔵室内を明るくすることができるので、貯蔵室内の食品の視認性を向上させることができる。また、例えば貯蔵室内の棚に載置された食品によって第一照明装置からの光が遮られても、第二照明装置によって棚の下側を照らすことができる。
【図面の簡単な説明】
【００１０】
【図１】実施の形態１、２に係る冷蔵庫の扉を外した状態の正面図である。
【図２】実施の形態１、２に係る冷蔵庫の図１のＡ−Ａ線における断面模式図である。
【図３】実施の形態１、２に係る第一照明装置の要部斜視図である。
【図４】実施の形態１に係る第一照明装置の要部斜視図であり、カバーを外した状態を示している。
【図５】実施の形態１、２に係る第二照明装置の要部斜視図である。
【図６】実施の形態１に係る第二照明装置の要部斜視図であり、カバーを外した状態を示している。
【図７】実施の形態２に係る第一照明装置の要部斜視図であり、カバーを外した状態を示している。
【図８】実施の形態２に係る第二照明装置の要部斜視図であり、カバーを外した状態を示している。
【図９】実施の形態３に係る冷蔵室の正面図である。
【図１０】実施の形態３に係る冷蔵室の図９のＢ−Ｂ線における断面模式図である。
【図１１】実施の形態３に係る第二照明装置の要部斜視図である。
【図１２】実施の形態４に係る冷蔵室の正面図である。
【図１３】実施の形態４に係る冷蔵室の斜視図である。
【図１４】実施の形態４に係る透明棚の斜視図である。
【発明を実施するための形態】
【００１１】
以下、本発明に係る冷蔵庫を間冷式冷蔵庫に適用した実施の形態を、図面を参照して説明する。なお、以下に示す図面の形態によって本発明が限定されるものではない。また、各図において、同一の符号を付したものは、同一の又はこれに相当するものであり、このことは明細書の全文において共通している。
【００１２】
実施の形態１．
［冷蔵庫の全体構成］
図１は、実施の形態１に係る冷蔵庫の扉を外した状態の正面図である。図２は、実施の形態１に係る冷蔵庫の図１のＡ−Ａ線における断面模式図である。
冷蔵庫１は、鋼板製の外箱２と、樹脂製の内箱３と、この外箱２及び内箱３の間に発泡充填された断熱材４とを有し、これらによって冷蔵庫１の外郭が構成されている。冷蔵庫１の内箱３内は、断熱性の仕切壁１１により上下に仕切られ、２つの貯蔵室が形成されている。上部に設けられた貯蔵室が冷蔵室５、下部に設けられた貯蔵室が冷蔵室５よりも設定温度の低い冷凍室６である。冷蔵室５の前面には冷蔵室扉７が設けられ、冷凍室６の前面には冷凍室扉８が設けられている。本実施の形態１では、本発明に係る構成を冷蔵室５に適用した場合の例を説明する。
【００１３】
次に、冷蔵庫１に搭載された冷凍サイクルの構成と、冷蔵庫１内の空気の流れを説明する。
図２に示すように、冷蔵庫１の背面最下部には圧縮機１２が配置されている。圧縮機１２で圧縮された冷媒は、凝縮器（図示せず）において凝縮される。凝縮された冷媒は、減圧器としての毛細管（図示せず）において減圧される。減圧された冷媒は冷却器１３において蒸発し、この蒸発時の吸熱作用により冷却器１３の周辺が冷却される。圧縮機１２、凝縮器（図示せず）、減圧器としての毛細管（図示せず）、及び冷却器１３により、冷凍サイクルが構成されている。
送風機１４は、冷却器１３の周辺で冷却された冷気を、冷蔵室５及び冷凍室６へと送風する。
【００１４】
冷蔵室５の背面側には、冷気を冷蔵室５内へ導く例えば発泡ポリスチレン製の冷気送風ダクト１７が設置されている。冷気送風ダクト１７の手前側には、冷気送風ダクト１７を覆うように合成樹脂製のコントロールパネル１５が設置されている。このコントロールパネル１５は、冷蔵室５の背面側の壁面を構成している。コントロールパネル１５には、一又は複数の冷気吹出口が開口しており、冷蔵室５と冷気送風ダクト１７は、コントロールパネル１５の冷気吹出口を介して連通している。送風機１４により送られた冷気は、冷気送風ダクト１７を通り、コントロールパネル１５の冷気吹出口から冷蔵室５内へと吹き出される。
【００１５】
冷気送風ダクト１７に設けられたダンパ（図示せず）、圧縮機１２、及び送風機１４は、制御回路等の制御装置（図示せず）によって制御される。制御装置は、サーミスタ等の温度検出装置により冷蔵室５と冷凍室６の温度を検出し、貯蔵室内が目標とする設定温度となるように、冷凍サイクルの冷却能力、冷却運転の開始・停止、ダンパの開閉、送風機１４の運転状態を制御する。
【００１６】
［冷蔵室の構成］
（冷蔵室内の構成）
図１、図２に示すように、冷蔵室５内の下部には複数の引出ケース１８が設けられ、この引出ケース１８の上方には、複数の透明棚２０が着脱自在に設けられている。透明棚２０は、光が透過する透明なガラスや合成樹脂などの材料で構成されている。この透明棚２０によって冷蔵室５の引出ケース１８の上方空間が上下に仕切られており、使用者は、透明棚２０の上に食品を載置することができる。最下段の透明棚２０（区別して説明するときには、透明棚２０１と称する）は、引出ケース１８の上に設置されており、引出ケース１８の上方空間の底面を構成している。なお、引出ケース１８は設けなくてもよい。また、本実施の形態１では４枚の透明棚２０を設けた例を示すが、透明棚２０の数は１枚以上であればよい。
【００１７】
（第一照明装置）
図１〜図４を参照して、第一照明装置３０について説明する。
図３は、実施の形態１に係る第一照明装置の要部斜視図である。図４は、実施の形態１に係る第一照明装置の要部斜視図であり、カバーを外した状態を示している。
冷蔵室５の天井１６には、第一照明装置３０が設けられている。より詳しくは、第一照明装置３０は、冷蔵室５の奥行き方向におけるほぼ中央よりも前面側（図２の紙面左側）に、配置されている。また、第一照明装置３０は、冷蔵室５内の幅の約５０％から約９０％に亘って設置されている。
【００１８】
図４に示すように、第一照明装置３０は、白色光を発光する複数のＬＥＤ（発光ダイオード）素子３１が実装された実装基板３２と、実装基板３２を保持する保持部３３と、実装基板３２を覆うカバー３４とを備える。実装基板３２は、幅方向に長い形状を有し、その長手方向と冷蔵室５の幅方向とが一致する向きで保持部３３内に設置されている。この実装基板３２の長手方向に亘って、光源としての複数のＬＥＤ素子３１が所定間隔で配置されている。なお、光源としてＬＥＤ素子３１を用いる例を説明するが、光源は発光ダイオードに限定されるものではない。実装基板３２には、図示しない通電用のリード線が取り付けられており、実装基板３２への通電状態は、図示しない制御装置によって制御される。実装基板３２は、保持部３３を介して冷蔵室５の天井１６に取り付けられる。カバー３４は、透光性を有する例えばガラスや合成樹脂材料などで構成され、ＬＥＤ素子３１の光出射側を覆うようにして取り付けられる。
【００１９】
この第一照明装置３０は、第一照明装置３０の真下よりも奥行き方向手前側、好ましくは真下よりも奥行き方向手前側に１°から５°程度傾いた方向に指向する光を照射するように構成されている。第一照明装置３０の照射方向は、例えば、実装基板３２を所要角度傾斜した姿勢で保持部３３に保持させることで、所定の方向に設定される。なお、第一照明装置３０の照射方向とは、第一照明装置３０の照射範囲（照射角）の中心線の方向をいうものとする。
【００２０】
（第二照明装置）
次に、図１、図２、図５、図６を参照して、第二照明装置４０について説明する。
図５は、実施の形態１に係る第二照明装置の要部斜視図である。図６は、実施の形態１に係る第二照明装置の要部斜視図であり、カバーを外した状態を示している。
冷蔵室５の背面側の壁面を構成するコントロールパネル１５には、第二照明装置４０が設けられている。より詳しくは、第二照明装置４０は、上から３つの透明棚２０の下側であって、最下段の透明棚２０１のやや上に設置されている。本実施の形態１では、第二照明装置４０は、冷蔵室５の高さ方向におけるほぼ中央よりも下の領域に配置されている。この第二照明装置４０は、第一照明装置３０からの光が比較的届きにくい領域である冷蔵室５の下側に設けるのが好ましい。また、第二照明装置４０は、冷蔵室５内の幅の約５０％から約９０％に亘って設置されている。
【００２１】
第二照明装置４０は、白色光を発光する複数のＬＥＤ素子４１が実装された実装基板４２と、実装基板４２を保持する保持部４３と、実装基板４２を覆うカバー４４とを備える。実装基板４２は、幅方向に長い形状を有し、その長手方向と冷蔵室５の幅方向とが一致する向きで設定されている。この実装基板４２の長手方向に亘って、光源としての複数のＬＥＤ素子４１が所定間隔で配置されている。なお、光源としてＬＥＤ素子４１を用いる例を説明するが、光源は発光ダイオードに限定されるものではない。実装基板４２には、図示しない通電用のリード線が取り付けられており、実装基板４２への通電状態は、図示しない制御装置によって制御される。実装基板４２は、保持部４３を介してコントロールパネル１５に取り付けられる。カバー４４は、透光性を有する例えばガラスや合成樹脂材料などで構成され、ＬＥＤ素子４１の光出射側を覆うようにして取り付けられる。
【００２２】
第二照明装置４０は、水平よりも上に傾いた方向に指向する光を照射するように構成されている。第二照明装置４０は冷蔵室５の下方に取り付けられているため、第二照明装置４０からの光は、冷蔵室５内の背面下部から上方に向かって照射され、冷蔵室５内を照らす。なお第二照明装置４０の照射方向とは、第二照明装置４０の照射範囲（照射角）の中心線の方向をいうものとする。
【００２３】
［動作］
以上のように構成された本実施の形態１の冷蔵庫１について、以下、動作を説明する。
冷蔵室５には、冷蔵室扉７の開閉状態を検出する扉開閉センサ（図示せず）が設けられており、冷蔵室扉７が閉まっている場合には、実装基板３２、４２へ通電が行われず、冷蔵室５内に光が照射されない。冷蔵室扉７が開けられると、実装基板３２、４２に順方向電流が流れ、ＬＥＤ素子３１、４１から白色光が発せられる。ＬＥＤ素子３１、４１から発せられた白色光は、カバー３４、４４を透過し、冷蔵室５内を照射する。冷蔵室５内を照射する光は、透光性を有する透明棚２０を透過し、透明棚２０に載置される食品を照らす。第一照明装置３０と第二照明装置４０は、冷蔵室５内の幅の約５０％から約９０％という広範な範囲に設置されているため、冷蔵室５の左右の側壁側にも光が届きやすく、冷蔵室５内をより明るくすることができる。
【００２４】
第一照明装置３０からの光は、第一照明装置３０の真下よりも手前側に１°から５°（例えば１°）傾いた方向に、照射する。このため、使用者が冷蔵室５内の食品を透明棚２０から手前側に引き出しあるいは引き寄せると、第一照明装置３０からの光の少なくとも一部が、引き出しあるいは引き寄せられた食品を照らすので、透明棚２０から引き出しあるいは引き寄せられた食品の表示などの視認性が向上する。したがって、食品の表示等を確認するために使用者が食品を冷蔵室５から完全に取り出して室内照明に当てなくても、容易に食品の表示等を確認することができ、使い勝手がよい。
【００２５】
また、第二照明装置４０からの光は、冷蔵室５内の背面側下部から上方に向かって冷蔵室５内を照射する。したがって、冷蔵室５内は、第一照明装置３０による上方からの光と、第二照明装置４０による下方からの光とによって照らされることとなる。このため、例えば上側の透明棚２０の上に多くの食品が載置され、その食品によって第一照明装置３０からの光が遮られても、その透明棚２０よりも下側は第二照明装置４０からの光によって照らされる。また、例えば下側の透明棚２０の上に多くの食品が載置され、その食品によって第二照明装置４０からの光が遮られても、その透明棚２０の上側は第一照明装置３０からの光によって照らされる。このように、本実施の形態１によれば、冷蔵室５内をより明るくし、食品の視認性を向上させることができる。
【００２６】
実施の形態２．
本実施の形態２では、実施の形態１との相違点を中心に説明する。
実施の形態２に係る冷蔵庫１は、図１、図２、図３、及び図５に示す構成は、実施の形態１と同様である。
【００２７】
図１〜図３、図５に示すように、冷蔵庫１は、鋼板製の外箱２と、樹脂製の内箱３と、この外箱２及び内箱３の間に発泡充填された断熱材４とを有し、これらによって冷蔵庫１の外郭が構成されている。この冷蔵庫１の内箱３内は、断熱性の仕切壁１１により上下に仕切られ、上部に冷蔵室５、下部に冷凍室６がそれぞれ形成されている。冷蔵室５の前面には、冷蔵室扉７が設けられ、冷凍室６には冷凍室扉８が設けられている。これらの構成は、実施の形態１と同様である。
【００２８】
冷蔵室５内には、実施の形態１と同様に、複数の引出ケース１８と透明棚２０が設けられている。
【００２９】
（第一照明装置）
図１、２、３、７を参照して実施の形態２に係る第一照明装置３０Ａについて説明する。
図７は、実施の形態２に係る第一照明装置の要部斜視図であり、カバーを外した状態を示している。
【００３０】
冷蔵室５の天井１６には、第一照明装置３０Ａが設けられている。より詳しくは、第一照明装置３０Ａは、冷蔵室５の奥行き方向におけるほぼ中央よりも前面側（図２の紙面左側）に、配置されている。また、第一照明装置３０Ａは、冷蔵室５内の幅の約５０％から約９０％に亘って設置されている。
【００３１】
図７に示すように、本実施の形態２の第一照明装置３０Ａは、白色光を発光する複数のＬＥＤ素子３１が実装された複数の実装基板３５ａ、３５ｂ（以下、実装基板３５と総称する場合がある）と、複数の実装基板３５を保持する保持部３３と、複数の実装基板３５を覆うカバー３４とを備える。それぞれの実装基板３５は、幅方向に長い形状を有しており、複数の実装基板３５はその長辺方向に対して直列に保持部３３内に設置されている。これら複数の実装基板３５は、その長手方向と冷蔵室５の幅方向とが一致する向きで設置されている。この実装基板３５の長手方向に亘って、複数のＬＥＤ素子３１が所定間隔で配置されている。実装基板３５には、図示しない通電用のリード線が取り付けられており、実装基板３５への通電状態は、図示しない制御装置によって制御される。実装基板３５は、保持部３３を介して冷蔵室５の天井１６に取り付けられる。カバー３４は、透光性を有する例えばガラスや合成樹脂材料などで構成され、ＬＥＤ素子３１の光出射側を覆うようにして取り付けられる。なお、本実施の形態２では、２枚の実装基板３５を例に説明するが、実装基板３５の数は３枚以上であってもよい。
【００３２】
この第一照明装置３０Ａは、第一照明装置３０Ａの真下よりも奥行き方向手前側、好ましくは真下よりも奥行き方向手前側に１°から５°程度傾いた方向に指向する光を照射するように構成されている。第一照明装置３０Ａの照射方向は、例えば、実装基板３５を所要角度傾斜した姿勢で保持部３３に保持させることで、所定の方向に設定される。
【００３３】
（第二照明装置）
図１、２、５、８を参照して実施の形態２に係る第二照明装置４０Ａについて説明する。
図８は、実施の形態２に係る第二照明装置の要部斜視図であり、カバーを外した状態を示している。
【００３４】
冷蔵室５の背面側の壁面を構成するコントロールパネル１５には、第二照明装置４０Ａが設けられている。より詳しくは、第二照明装置４０Ａは、上から３つの透明棚２０よりも下側であって、最下段の透明棚２０１のやや上に設置されている。本実施の形態２では、第二照明装置４０Ａは、冷蔵室５の高さ方向におけるほぼ中央よりも下の領域に配置されている。この第二照明装置４０Ａは、第一照明装置３０Ａからの光が比較的届きにくい領域である冷蔵室５の下側に設けるのが好ましい。また、第二照明装置４０Ａは、冷蔵室５内の幅の約５０％から約９０％に亘って設置されている。
【００３５】
第二照明装置４０Ａは、白色光を発光する複数のＬＥＤ素子４１が実装された複数の実装基板４５ａ、４５ｂ（以下、実装基板４５と総称する場合がある）と、複数の実装基板４５を保持する保持部４３と、実装基板４５を覆うカバー４４とを備える。それぞれの実装基板４５は、幅方向に長い形状を有しており、複数の実装基板４５はその長辺方向に対して直列に保持部３３内に設置されている。これら複数の実装基板４５は、その長手方向と冷蔵室５の幅方向とが一致する向きで設置されている。実装基板４５には、図示しない通電用のリード線が取り付けられており、実装基板４５への通電状態は、図示しない制御装置によって制御される。実装基板４５は、保持部４３を介してコントロールパネル１５に取り付けられる。カバー４４は、透光性を有する例えばガラスや合成樹脂材料などで構成され、ＬＥＤ素子４１の光出射側を覆うようにして取り付けられる。なお、本実施の形態２では、２枚の実装基板４５を例に説明するが、実装基板４５の数は３枚以上であってもよい。
【００３６】
第二照明装置４０Ａは、水平よりも上に傾いた方向に指向する光を照射するように構成されている。第二照明装置４０Ａは冷蔵室５の下方に取り付けられているため、第二照明装置４０Ａからの光は、冷蔵室５内の背面下部から上方に向かって照射され、冷蔵室５内を照らす。
【００３７】
［動作］
以上のように構成された本実施の形態２の冷蔵庫１について、以下、動作を説明する。
冷蔵室５には、冷蔵室扉７の開閉状態を検出する扉開閉センサ（図示せず）が設けられており、冷蔵室扉７が閉まっている場合には、実装基板３５、４５へ通電が行われず、冷蔵室５内に光が照射されない。冷蔵室扉７が開けられると、実装基板３５、４５に順方向電流が流れ、ＬＥＤ素子３１、４１から白色光が発せられる。ＬＥＤ素子３１、４１から発せられた白色光は、カバー３４、４４を透過し、冷蔵室５内を照射する。冷蔵室５内を照射する光は、透光性を有する透明棚２０を透過し、透明棚２０に載置される食品を照らす。第一照明装置３０Ａと第二照明装置４０Ａは、冷蔵室５内の幅の約５０％から約９０％という広範な範囲に設置されているため、冷蔵室５の左右の側壁側にも光が届きやすく、冷蔵室５内をより明るくすることができる。
【００３８】
第一照明装置３０Ａからの光は、第一照明装置３０Ａの真下よりも手前側に１°から５°（例えば１°）傾いた方向に、照射する。このため、使用者が冷蔵室５内の食品を透明棚２０から手前側に引き出しあるいは引き寄せると、第一照明装置３０Ａからの光の少なくとも一部が、引き出しあるいは引き寄せられた食品を照らすので、透明棚２０から引き出しあるいは引き寄せられた食品の表示などの視認性が向上する。したがって、食品の表示等を確認するために使用者が食品を冷蔵室５から完全に取り出して室内照明に当てなくても、容易に食品の表示等を確認することができ、使い勝手がよい。
【００３９】
また、第二照明装置４０Ａからの光は、冷蔵室５の背面側下部から上方に向かって冷蔵室５内を照射する。したがって、冷蔵室５内は、第一照明装置３０Ａによる上方からの光と、第二照明装置４０Ａによる下方からの光とによって照らされることとなる。このため、例えば上側の透明棚２０の上に多くの食品が載置され、その食品によって第一照明装置３０Ａからの光が遮られても、その透明棚２０よりも下側は第二照明装置４０Ａからの光によって照らされる。また、例えば下側の透明棚２０の上に多くの食品が載置され、その食品によって第二照明装置４０Ａからの光が遮られても、その透明棚２０の上側は第一照明装置３０Ａからの光によって照らされる。このように、本実施の形態２によれば、冷蔵室５内をより明るくし、食品の視認性を向上させることができる。
【００４０】
また、本実施の形態２では、第一照明装置３０Ａ及び第二照明装置４０Ａに、それぞれ、複数の実装基板３５、４５を設けたので、第一照明装置３０Ａ、第二照明装置４０Ａの長辺方向の長さに対し、１枚の実装基板３５、４５の長辺方向の長さを短くすることができる。したがって、各実装基板３５、４５を保持部３３、４３にそれぞれ取り付ける際、及び、実装基板３５、４５に通電用のリード線を取り付ける際に、実装基板３５、４５に掛かる応力を軽減することができる。これにより、応力による実装基板３５、４５の割れや、応力によって実装基板３５、４５が撓むことによる実装部品等の剥離を抑制することができるので、第一照明装置３０Ａ及び第二照明装置４０Ａの品質を向上させることができる。
【００４１】
なお、第一照明装置３０Ａ、第二照明装置４０Ａの実装基板３５、４５の設置枚数については、コストや作業性等を考慮して設定することができる。また、上述のように第一照明装置３０Ａと第二照明装置４０Ａの両方の実装基板を複数枚で構成してもよいし、いずれか一方の照明装置にのみ複数の実装基板を設けてもよい。
【００４２】
実施の形態３．
本実施の形態３では、実施の形態１との相違点を中心に説明する。
図９は、実施の形態３に係る冷蔵室の正面図である。図１０は、実施の形態３に係る冷蔵室の図９のＢ−Ｂ線における断面模式図である。図１１は、実施の形態３に係る第二照明装置の要部斜視図である。
【００４３】
図９、図１０に示すように、冷蔵庫１は、鋼板製の外箱２と、樹脂製の内箱３と、この外箱２及び内箱３の間に発泡充填された断熱材４とを有し、これらによって冷蔵庫１の外郭が構成されている。この冷蔵庫１の内箱３内は、断熱性の仕切壁１１により上下に仕切られ、上部に冷蔵室５、下部に冷凍室６（図９、図１０には図示せず）がそれぞれ形成されている。冷蔵室５の前面には、冷蔵室扉７が設けられ、冷凍室６には冷凍室扉８が設けられている。これらの構成は、実施の形態１と同様である。
【００４４】
冷蔵室５内には、実施の形態１と同様に複数の引出ケース１８と透明棚２０が設けられているが、後述するように、最下段の透明棚２０１Ｂの構成が、実施の形態１とは異なる。
【００４５】
（第一照明装置）
冷蔵室５の天井１６には、実施の形態１と同様の第一照明装置３０が設けられている。より詳しくは、第一照明装置３０は、冷蔵室５の奥行き方向におけるほぼ中央よりも前面側に、配置されている。また、第一照明装置３０は、冷蔵室５内の幅の約５０％から約９０％に亘って設置されている。また、第一照明装置３０は、第一照明装置３０の真下よりも奥行き方向手前側、好ましくは真下よりも奥行き方向手前側に１°から５°程度傾いた方向に指向する光を照射するように構成されている。
【００４６】
（第二照明装置）
冷蔵室５の背面側において、上から３つの透明棚２０よりも下側の、冷蔵室５の高さ方向のほぼ中央よりも下の位置に、第二照明装置４０Ｂが設けられている。図１１に示すように、本実施の形態３では、冷蔵室５の背面側の壁面を構成するコントロールパネル１５の下部に、手前側に向かって延びる板状の取付部１９が設けられており、この取付部１９の手前側の先端部分に、第二照明装置４０Ｂが設けられている。すなわち、第二照明装置４０Ｂは、実施の形態１で示した第二照明装置４０Ｂと比べて、奥行き方向手前側に位置している。また、第二照明装置４０Ｂは、冷蔵室５内の幅の約５０％から約９０％に亘って設置されている。なお、第二照明装置４０Ｂを構成するＬＥＤ素子４１、実装基板４２、保持部４３、及びカバー４４の構成は、実施の形態１と同様である。
【００４７】
この第二照明装置４０Ｂは、第二照明装置４０Ｂの上面を構成するカバー４４の表面が、最下段の透明棚２０１Ｂの載置面（上面）と、略同一平面上に位置する高さに設置されている。すなわち、第二照明装置４０Ｂの上面と、最下段の透明棚２０１Ｂの上面は、略同じ高さに揃えられており、第二照明装置４０Ｂは、食品を載置する棚の一部を構成している。
【００４８】
第二照明装置４０Ｂは、水平よりも上に傾いた方向に指向する光を照射するように構成されている。第二照明装置４０Ｂは冷蔵室５の下方であって最下段の透明棚２０１Ｂと同じ高さに取り付けられているため、第二照明装置４０Ａからの光は、冷蔵室５内の背面下部から上方に向かって照射され、冷蔵室５内を照らす。
【００４９】
［動作］
以上のように構成された本実施の形態３の冷蔵庫１について、以下、動作を説明する。
冷蔵室５には、冷蔵室扉７の開閉状態を検出する扉開閉センサ（図示せず）が設けられており、冷蔵室扉７が閉まっている場合には、実装基板３２、４２へ通電が行われず、冷蔵室５内に光が照射されない。冷蔵室扉７が開けられると、実装基板３２、４２に順方向電流が流れ、ＬＥＤ素子３１、４１から白色光が発せられる。ＬＥＤ素子３１、４１から発せられた白色光は、カバー３４、４４を透過し、冷蔵室５内を照射する。冷蔵室５内を照射する光は、透光性を有する透明棚２０を透過し、透明棚２０に載置される食品を照らす。第一照明装置３０と第二照明装置４０Ｂは、冷蔵室５内の幅の約５０％から約９０％という広範な範囲に設置されているため、冷蔵室５の左右の側壁側にも光が届きやすく、冷蔵室５内をより明るくすることができる。
【００５０】
第一照明装置３０からの光は、第一照明装置３０の真下よりも手前側に１°から５°（例えば１°）傾いた方向に、照射する。このため、使用者が冷蔵室５内の食品を透明棚２０から手前側に引き出しあるいは引き寄せると、第一照明装置３０からの光の少なくとも一部が、引き出しあるいは引き寄せられた食品を照らすので、透明棚２０から引き出しあるいは引き寄せられた食品の表示などの視認性が向上する。したがって、食品の表示等を確認するために使用者が食品を冷蔵室５から完全に取り出して室内照明に当てなくても、容易に食品の表示等を確認することができ、使い勝手がよい。
【００５１】
また、第二照明装置４０Ｂからの光は、冷蔵室５の背面側下部から上方に向かって冷蔵室５内を照射する。したがって、冷蔵室５内は、第一照明装置３０による上方からの光と、第二照明装置４０Ｂによる下方からの光とによって照らされることとなる。このため、例えば上側の透明棚２０の上に多くの食品が載置され、その食品によって第一照明装置３０からの光が遮られても、その透明棚２０の下側は第二照明装置４０Ｂからの光によって照らされる。また、例えば下側の透明棚２０の上に多くの食品が載置され、その食品によって第二照明装置４０Ｂからの光が遮られても、その透明棚２０の上側は第一照明装置３０からの光によって照らされる。このように、本実施の形態３によれば、冷蔵室５内をより明るくし、食品の視認性を向上させることができる。
【００５２】
また、本実施の形態３では、第二照明装置４０Ｂが、最下段の透明棚２０１Ｂとともに食品を載置する棚を構成しているので、食品の収納量を低減させることなく、冷蔵室５の最下段の棚を透明棚のみで構成した場合と比較して最下段の透明棚２０１Ｂの大きさを縮小することができる。このため、冷蔵庫１の製造コストを低減させることができる。
【００５３】
また、本実施の形態３では、第二照明装置４０Ｂを、コントロールパネル１５よりも手前側に突出した位置に設けたので、冷蔵室５内の奥行き方向手前側に、第二照明装置４０Ｂからの光が届きやすい。このため、食品が載置されやすい冷蔵室５の手前側を、効果的に照明することができる。
【００５４】
なお、本実施の形態３の第一照明装置３０及び第二照明装置４０Ｂのいずれか一方又は両方に、実施の形態２と同様に複数の実装基板を設けてもよい。
【００５５】
実施の形態４．
図１２は、実施の形態４に係る冷蔵室の正面図である。図１３は、実施の形態４に係る冷蔵室の斜視図である。図１４は、実施の形態４に係る透明棚の斜視図である。
本実施の形態４は、冷蔵室５内の空間を上下に仕切る棚に特徴を有する。本実施の形態４では、実施の形態１との相違点を中心に説明する。
【００５６】
図１２、図１３に示すように、冷蔵庫１は、鋼板製の外箱２と、樹脂製の内箱３と、この外箱２及び内箱３の間に発泡充填された断熱材４とを有し、これらによって冷蔵庫１の外郭が構成されている。この冷蔵庫１の内箱３内は、断熱性の仕切壁１１により上下に仕切られ、上部に冷蔵室５、下部に冷凍室６（図１２、図１３には図示せず）がそれぞれ形成されている。冷蔵室５の前面には、冷蔵室扉７が設けられ、冷凍室６には冷凍室扉８が設けられている。これらの構成は、実施の形態１と同様である。
【００５７】
冷蔵室５内には、実施の形態１と同様に複数の引出ケース１８が設けられている。また、本実施の形態４では、実施の形態１で示した複数の透明棚２０に代えて、複数の冷蔵室棚５０が着脱自在に設けられている。
【００５８】
（第一照明装置）
冷蔵室５の天井１６には、実施の形態１と同様の第一照明装置３０が設けられている。より詳しくは、第一照明装置３０は、冷蔵室５の奥行き方向におけるほぼ中央よりも前面側に、配置されている。また、第一照明装置３０は、冷蔵室５内の幅の約５０％から約９０％に亘って設置されている。また、第一照明装置３０は、第一照明装置３０の真下よりも奥行き方向手前側、好ましくは真下よりも奥行き方向手前側に１°から５°程度傾いた方向に指向する光を照射するように構成されている。
【００５９】
（第二照明装置）
冷蔵室５の背面側の壁面を構成するコントロールパネル１５には、実施の形態１と同様の第二照明装置４０が設けられている。より詳しくは、第二照明装置４０は、上から３つの冷蔵室棚５０の下側であって、最下段の冷蔵室棚５０のやや上に設置されている。本実施の形態４では、第二照明装置４０は、冷蔵室５の高さ方向におけるほぼ中央よりも下の領域に配置されている。また、第二照明装置４０は、冷蔵室５内の幅の約５０％から約９０％に亘って設置されている。
【００６０】
第二照明装置４０は、水平よりも上に傾いた方向に指向する光を照射するように構成されている。第二照明装置４０は冷蔵室５の下方に取り付けられているため、第二照明装置４０からの光は、冷蔵室５内の背面下部から上方に向かって照射され、冷蔵室５内を照らす。
【００６１】
（冷蔵室棚）
図１２〜図１４に示すように、冷蔵室棚５０は、食品が主に載置される平板状の載置板５１と、載置板５１の外周を囲む外枠５２と、反射板５３とを備える。載置板５１は、例えば光が透過する透明なガラスや合成樹脂などの材料で構成されている。外枠５２は、例えば半透明のガラスや合成樹脂などの材料で構成されている。
【００６２】
反射板５３は、載置板５１の四辺を囲む外枠５２のうち、手前側の部分（手前側外枠５２１と称する場合がある）に、設置されている。反射板５３は、冷蔵室５の天井１６に設置された第一照明装置３０からの光の少なくとも一部を、冷蔵室５の手前側に反射させる。反射板５３による光の反射方向は、反射板５３の設置位置及び反射板５３の反射面の向き等によって規定される。
【００６３】
［動作］
以上のように構成された本実施の形態４の冷蔵庫１について、以下、動作を説明する。
冷蔵室５には、冷蔵室扉７の開閉状態を検出する扉開閉センサ（図示せず）が設けられており、冷蔵室扉７が閉まっている場合には、実装基板３２、４２へ通電が行われず、冷蔵室５内に光が照射されない。冷蔵室扉７が開けられると、実装基板３２、４２に順方向電流が流れ、ＬＥＤ素子３１、４１から白色光が発せられる。ＬＥＤ素子３１、４１から発せられた白色光は、カバー３４、４４を透過し、冷蔵室５内を照射する。冷蔵室５内を照射する光は、透光性を有する冷蔵室棚５０の載置板５１及び外枠５２を透過し、冷蔵室棚５０に載置される食品を照らす。第一照明装置３０と第二照明装置４０は、冷蔵室５内の幅の約５０％から約９０％という広範な範囲に設置されているため、冷蔵室５の左右の側壁側にも光が届きやすく、冷蔵室５内をより明るくすることができる。
【００６４】
第一照明装置３０からの光は、第一照明装置３０の真下よりも手前側に１°から５°（例えば１°）傾いた方向に、照射する。このため、使用者が冷蔵室５内の食品を冷蔵室棚５０から手前側に引き出しあるいは引き寄せると、第一照明装置３０からの光の少なくとも一部が、引き出しあるいは引き寄せられた食品を照らすので、冷蔵室棚５０から引き出しあるいは引き寄せられた食品の表示などの視認性が向上する。したがって、食品の表示等を確認するために使用者が食品を冷蔵室５から完全に取り出して室内照明に当てなくても、容易に食品の表示等を確認することができ、使い勝手がよい。
【００６５】
また、第二照明装置４０からの光は、冷蔵室５の背面側下部から上方に向かって冷蔵室５内を照射する。したがって、冷蔵室５内は、第一照明装置３０による上方からの光と、第二照明装置４０による下方からの光とによって照らされることとなる。このため、例えば上側の冷蔵室棚５０の上に多くの食品が載置され、その食品によって第一照明装置３０からの光が遮られても、その冷蔵室棚５０よりも下側は第二照明装置４０からの光によって照らされる。また、例えば下側の冷蔵室棚５０の上に多くの食品が載置され、その食品によって第二照明装置４０からの光が遮られても、その冷蔵室棚５０の上側は第一照明装置３０からの光によって照らされる。このように、本実施の形態１によれば、冷蔵室５内をより明るくし、食品の視認性を向上させることができる。
【００６６】
また、本実施の形態４では、冷蔵室棚５０の手前側外枠５２１に、反射板５３を設けた。このため、使用者が冷蔵室扉７を開くと、冷蔵室５の天井１６に設置された第一照明装置３０からの光の少なくとも一部が、反射板５３で冷蔵室５の手前側に反射する。このため、冷蔵室５内の特に手前側を、第一照明装置３０の光量を増加させることなく、より明るくすることができる。このように冷蔵室５内を明るくすることで、使用者に与える清潔感を向上させることができる。
【００６７】
なお、本実施の形態４の第一照明装置３０及び第二照明装置４０のいずれか一方又は両方に、実施の形態２と同様に複数の実装基板を設けてもよい。
【００６８】
また、本実施の形態４と前述の実施の形態３とを組み合わせ、第二照明装置４０の一部が、最下段の冷蔵室棚５０とともに棚の一部を構成するようにしてもよい。
【符号の説明】
【００６９】
１  冷蔵庫、２  外箱、３  内箱、４  断熱材、５  冷蔵室、６  冷凍室、７  冷蔵室扉、８  冷凍室扉、１１  仕切壁、１２  圧縮機、１３  冷却器、１４  送風機、１５  コントロールパネル、１６  天井、１７  冷気送風ダクト、１８  引出ケース、１９  取付部、２０  透明棚、３０  第一照明装置、３０Ａ  第一照明装置、３１  ＬＥＤ素子、３２  実装基板、３３  保持部、３４  カバー、３５  実装基板、３５ａ、３５ｂ  実装基板、４０  第二照明装置、４０Ａ  第二照明装置、４０Ｂ  第二照明装置、４１  ＬＥＤ素子、４２  実装基板、４３  保持部、４４  カバー、４５  実装基板、４５ａ、４５ｂ  実装基板、５０  冷蔵室棚、５１  載置板、５２  外枠、５３  反射板、２０１  最下段の透明棚、２０１Ｂ  最下段の透明棚、５２１  手前側外枠。
【図１】
2013217513.tif 000003
【図２】
2013217513.tif 000004
【図３】
2013217513.tif 000005
【図４】
2013217513.tif 000006
【図５】
2013217513.tif 000007
【図６】
2013217513.tif 000008
【図７】
2013217513.tif 000009
【図８】
2013217513.tif 000010
【図９】
2013217513.tif 000011
【図１０】
2013217513.tif 000012
【図１１】
2013217513.tif 000013
【図１２】
2013217513.tif 000014
【図１３】
2013217513.tif 000015
【図１４】
2013217513.tif 000016